(57)【特許請求の範囲】
【請求項１】
硬貨を装置内部に取り込んで処理する硬貨処理装置であって、
処理対象の最小径硬貨の直径よりも小径の異物排除孔が底部に複数形成されると共に外部から硬貨が投入される受皿部と、
前記底部上で所定枚数を超えて重なる硬貨の前記所定枚数までの通過を許容し前記所定枚数を超える分の通過を規制する通過口を前記底部との間に形成する通過制限部と、
前記受皿部から前記通過口に送り込まれた硬貨を前記装置内部に導入する導入部と、を備え、
前記底部には、前記通過口に向けて延在する複数列のリブが互いに間隔をあけて設けられていると共に、隣接する前記リブの間に前記異物排除孔が設けられており、
前記リブには、当該リブを厚み方向に切り欠いて形成された切欠部が設けられており、
前記切欠部の延在方向の位置は、硬貨の移動方向に対して前記異物排除孔よりも上流側に位置していることを特徴とする硬貨処理装置。
【請求項２】
前記リブの前記切欠部との境界部は、平面視において半円形状に形成されていることを特徴とする請求項１に記載の硬貨処理装置。
【請求項３】
前記通過制限部は、前記導入部を開閉するカバーに設けられていることを特徴とする請求項１または２に記載の硬貨処理装置。
【請求項４】
前記底部は、
近接ステージと、
該近接ステージよりも前記通過口から遠く高さが低い遠隔ステージと、
前記近接ステージと前記遠隔ステージとを繋ぐ、前記近接ステージ側ほど高さが高い上り勾配部と、を有し、
前記遠隔ステージには、前記通過口に向けて連続的に延在する複数列の第１リブが設けられ、
前記近接ステージには、前記通過口に向けて断続的に延在する複数列の第２リブが設けられ、
前記第１リブと、当該第１リブに対応する第２リブとが、延在方向で連続的に設けられていることを特徴とする請求項１乃至３の何れか一項に記載の硬貨処理装置。
【請求項５】
前記近接ステージの前記遠隔ステージとは反対側に、前記近接ステージから離れるほど高さが低くなる下り勾配部が設けられており、該下り勾配部が前記通過口を形成していることを特徴とする請求項４に記載の硬貨処理装置。
【請求項６】
前記切欠部は、前記リブの延在方向において、前記異物排除孔に対し前記通過口とは反対側にずれて配置されていることを特徴とする請求項１に記載の硬貨処理装置。
【請求項７】
前記底部の下側であって、前記異物排除孔における硬貨の移動方向の下流側に磁石が設けられていることを特徴とする請求項１乃至６のいずれか一項に記載の硬貨処理装置。
【請求項８】
前記底部は、取り外し可能であり、前記磁石は前記底部と一体に設けられていることを特徴とする請求項７に記載の硬貨処理装置。
【請求項９】
処理対象の最小径硬貨の直径よりも小径の異物排除孔が底部に複数形成されると共に外部から硬貨が投入される受皿部と、
前記底部上で所定枚数を超えて重なる硬貨の前記所定枚数までの通過を許容し前記所定枚数を超える分の通過を規制する通過口を前記底部との間に形成する通過制限部と、
前記受皿部から前記通過口に送り込まれた硬貨を通過させる導入開口部と、を備え、
前記底部には、前記通過口に向けて延在する複数列のリブが互いに間隔をあけて設けられていると共に、隣接する前記リブの間に前記異物排除孔が設けられており、
前記リブには、当該リブを厚み方向に切り欠いて形成された切欠部が設けられており、
前記切欠部の延在方向の位置は、硬貨の移動方向に対して前記異物排除孔よりも上流側に位置していることを特徴とする硬貨投入口。
【請求項１０】
処理対象の最小径硬貨の直径よりも小径の異物排除孔が底部に複数形成されると共に外部から硬貨が投入される受皿部と、
前記底部上で所定枚数を超えて重なる硬貨の前記所定枚数までの通過を許容し前記所定枚数を超える分の通過を規制する通過口を前記底部との間に形成する通過制限部と、を備え、
前記底部には、前記通過口に向けて延在する複数列のリブが互いに間隔をあけて設けられていると共に、隣接する前記リブの間に前記異物排除孔が設けられており、
前記リブには、当該リブを厚み方向に切り欠いて形成された切欠部が設けられており、
前記切欠部の延在方向の位置は、硬貨の移動方向に対して前記異物排除孔よりも上流側に位置していることを特徴とする硬貨受皿。
【発明の詳細な説明】
【技術分野】
【０００１】
本発明は、硬貨処理装置、硬貨投入口および硬貨受皿に関する。
【背景技術】
【０００２】
硬貨処理装置において、外部から硬貨が投入される際に、硬貨に混ざってクリップやホチキスの針等の異物が投入されることがあり、硬貨詰まりを引き起こす一因となっている。このため、回転円盤に異物排除孔を設け、異物排除孔から異物を除去するようにしたものがある（例えば、特許文献１参照）。
【先行技術文献】
【特許文献】
【０００３】
【特許文献１】特開平１０−８３４６９号公報
【発明の概要】
【発明が解決しようとする課題】
【０００４】
異物を簡易に効率良く除去することが求められている。
【０００５】
したがって、本発明は、異物を簡易に効率良く除去することが可能な硬貨処理装置、硬貨投入口および硬貨受皿の提供を目的とする。
【課題を解決するための手段】
【０００６】
上記目的を達成するために、本発明に係る第１の態様は、硬貨を装置内部に取り込んで処理する硬貨処理装置であって、処理対象の最小径硬貨の直径よりも小径の異物排除孔が底部に複数形成されると共に外部から硬貨が投入される受皿部と、前記底部上で所定枚数を超えて重なる硬貨の前記所定枚数までの通過を許容し前記所定枚数を超える分の通過を規制する通過口を前記底部との間に形成する通過制限部と、前記受皿部から前記通過口に送り込まれた硬貨を前記装置内部に導入する導入部と、を備え、前記底部には、前記通過口に向けて延在する複数列のリブが互いに間隔をあけて設けられていると共に、隣接する前記リブの間に前記異物排除孔が設けられており、前記リブには、当該リブを厚み方向に切り欠いて形成された切欠部が設けられており、前記切欠部の延在方向の位置は、硬貨の移動方向に対して前記異物排除孔よりも上流側に位置していることを特徴とする。
【０００７】
上記第１の態様によれば、例えば、受皿部に投入された硬貨が手動によって底部上を移動して、底部と通過制限部とで形成された通過口に送り込まれることになる。その際に、通過口によって、これを通過する硬貨の重なり枚数を制限することで、少しずつ通過口に硬貨が送り込まれることになる。これにより、受皿部の硬貨が徐々にばらけることになる。このように硬貨をばらけさせることで、硬貨に混ざった異物が底部上に落下することになり、直接あるいは移動する硬貨で押されて異物排除孔から落下する。
また、底部に通過口に向けて延在するようにリブが複数列設けられているため、硬貨がリブに載ると硬貨と異物排除孔との間に隙間をつくる。よって、異物が異物排除孔からより良好に落下する。
本発明に係る第２の態様は、第１の態様において、前記リブの前記切欠部との境界部は、平面視において半円形状に形成されていることを特徴とする。
【０００８】
本発明に係る第３の態様は、第１または２の態様において、前記通過制限部は、前記導入部を開閉するカバーに設けられていることを特徴とする。
【０００９】
上記第３の態様によれば、通過制限部が、導入部を開閉するカバーに設けられているため、部品点数を低減することができ、低コスト化が図れる。
【００１０】
本発明に係る第４の態様は、第１乃至第３の何れか一態様において、前記底部は、近接ステージと、該近接ステージよりも前記通過口から遠く高さが低い遠隔ステージと、前記近接ステージと前記遠隔ステージとを繋ぐ、前記近接ステージ側ほど高さが高い上り勾配部と、を有し、前記遠隔ステージには、前記通過口に向けて連続的に延在する複数列の第１リブが設けられ、前記近接ステージには、前記通過口に向けて断続的に延在する複数列の第２リブが設けられ、前記第１リブと、当該第１リブに対応する第２リブとが、延在方向で連続的に設けられていることを特徴とする。
【００１１】
上記第４の態様によれば、底部の遠隔ステージに投入された硬貨は、通過口の通過のために、遠隔ステージから上り勾配部上を移動させられて、近接ステージに至って、通過口に送り込まれることになる。その際に、近接ステージに上り切れなかった硬貨は上り勾配部を下って遠隔ステージに戻る。これにより、受皿部の硬貨がより一層ばらけることになり、硬貨に混ざった異物が底部上により良好に落下することになって、異物排除孔からより良好に落下する。
また、リブに切欠部が形成されているため、隣り合うリブ同士の間隔より長い異物が隣り合うリブに跨がって載ってそのまま硬貨とともに滑って移動することを防止することができる。
【００１２】
本発明に係る第５の態様は、第４の態様において、前記近接ステージの前記遠隔ステージとは反対側に、前記近接ステージから離れるほど高さが低くなる下り勾配部が設けられており、該下り勾配部が前記通過口を形成していることを特徴とする。
【００１３】
上記第５の態様によれば、近接ステージに移動させられた硬貨は、通過口に向け移動させられると、下り勾配部を重力で助勢されて移動することになる。よって、通過口への硬貨の送り込みの作業が容易となる。
【００１８】
本発明に係る第６の態様は、第１の態様において、前記切欠部は、前記リブの延在方向において、前記異物排除孔に対し前記通過口とは反対側にずれて配置されていることを特徴とする。
【００１９】
上記第６の態様によれば、切欠部が、リブの延在方向において、異物排除孔に対し通過口とは反対側にずれて配置されているため、硬貨で押されてリブの切欠部に入り混んだ異物が異物排除孔により良好に落下する。
【００２０】
本発明に係る第７の態様は、第１乃至第６のいずれか一の態様において、前記底部の下側であって、前記異物排除孔における硬貨の移動方向の下流側に磁石が設けられていることを特徴とする。
【００２１】
上記第７の態様によれば、異物排除孔に進入した金属製の異物を吸引し、場合により吸着する磁石が底部の下側に設けられているため、金属製の異物を異物排除孔に引き込むことができる。このように、受皿部の表面部分ではなく、異物排除孔の中に金属製の異物を誘導することで、次に流れる硬貨等で金属製の異物が通過口に押し込まれることを抑制することができる。
【００２２】
本発明に係る第８の態様は、第７の態様において、前記底部は、取り外し可能であり、前記磁石は前記底部と一体に設けられていることを特徴とする。
【００２３】
上記第８の態様によれば、底部を取り外すと、磁石およびこれに吸着された金属製の異物も一緒に取り出されることになる。よって、金属製の異物の排除作業が容易となる。
【００２４】
本発明に係る第９の態様は、処理対象の最小径硬貨の直径よりも小径の異物排除孔が底部に複数形成されると共に外部から硬貨が投入される受皿部と、前記底部上で所定枚数を超えて重なる硬貨の前記所定枚数までの通過を許容し前記所定枚数を超える分の通過を規制する通過口を前記底部との間に形成する通過制限部と、前記受皿部から前記通過口に送り込まれた硬貨を通過させる導入開口部と、を備え、前記底部には、前記通過口に向けて延在する複数列のリブが互いに間隔をあけて設けられていると共に、隣接する前記リブの間に前記異物排除孔が設けられており、前記リブには、当該リブを厚み方向に切り欠いて形成された切欠部が設けられており、前記切欠部の延在方向の位置は、硬貨の移動方向に対して前記異物排除孔よりも上流側に位置していることを特徴とする。
【００２５】
上記第９の態様によれば、例えば、受皿部に投入された硬貨が手動によって底部上を移動して、底部と通過制限部とで形成された通過口に送り込まれることになる。その際に、通過口によって、これを通過する硬貨の重なり枚数を制限することで、少しずつ通過口に硬貨が送り込まれることになる。これにより、受皿部の硬貨が徐々にばらけることになる。このように硬貨をばらけさせることで、硬貨に混ざった異物が底部上に落下することになり、直接あるいは移動する硬貨で押されて異物排除孔から落下する。
【００２６】
本発明に係る第１０の態様は、処理対象の最小径硬貨の直径よりも小径の異物排除孔が底部に複数形成されると共に外部から硬貨が投入される受皿部と、前記底部上で所定枚数を超えて重なる硬貨の前記所定枚数までの通過を許容し前記所定枚数を超える分の通過を規制する通過口を前記底部との間に形成する通過制限部と、を備え、前記底部には、前記通過口に向けて延在する複数列のリブが互いに間隔をあけて設けられていると共に、隣接する前記リブの間に前記異物排除孔が設けられており、前記リブには、当該リブを厚み方向に切り欠いて形成された切欠部が設けられており、前記切欠部の延在方向の位置は、硬貨の移動方向に対して前記異物排除孔よりも上流側に位置していることを特徴とする。
【発明の効果】
【００２８】
本発明によれば、異物を簡易に効率良く除去することが可能な硬貨処理装置、硬貨投入口および硬貨受皿を提供することができる。
【図面の簡単な説明】
【００２９】
【図１】本発明の第１実施形態に係る硬貨処理装置を概略的に示す正面図である。
【図２】本発明の第１実施形態に係る硬貨処理装置の硬貨投入口を示すカバーを閉じ底板部材を装着した状態の斜視図である。
【図３】本発明の第１実施形態に係る硬貨処理装置の硬貨投入口を示すカバーを開き底板部材を取り外した状態の斜視図である。
【図４】本発明の第１実施形態に係る硬貨処理装置の底板部材の異物排除孔形成部分を示す側断面図である。
【図５】本発明の第１実施形態に係る硬貨処理装置の底板部材を示す部分平面図である。
【図６】本発明の第１実施形態に係る硬貨処理装置の底板部材のリブ形成部分を示す側断面図である。
【図７】本発明の第１実施形態に係る硬貨処理装置の底板部材のリブ形成部分を示す平面図である。
【図８】本発明の第１実施形態に係る硬貨処理装置の変形例を示すカバーを閉じ異物収容部を引き出した状態の斜視図である。
【図９】本発明の第２実施形態に係る硬貨処理装置の硬貨投入口を示すカバーを閉じ底板部材を装着した状態の斜視図である。
【図１０】本発明の第２実施形態に係る硬貨処理装置の硬貨投入口を示すカバーを開き底板部材を取り外した状態の斜視図である。
【発明を実施するための形態】
【００３０】
［第１実施形態］
本発明の第１実施形態に係る硬貨投入口を含む硬貨処理装置を図１〜図８を参照して以下に説明する。
【００３１】
図１に示すように、第１実施形態に係る硬貨処理装置１０は、上部に硬貨投入口１１が設けられており、硬貨投入口１１に外部から一括投入されたバラ硬貨に対して、硬貨投入口１１の下部の硬貨処理部１２で所定の処理を行うものである。硬貨処理部１２は、例えば、バラ硬貨を識別計数して指定された単一金種の所定枚数の硬貨を集積するとともに該集積硬貨を包装する包装処理を行ったり、包装処理を行わずに指定された金種の硬貨を計数し該計数した硬貨を機外に放出させる計数処理を行ったりするものである。勿論、硬貨処理部１２は、バラ硬貨に所定の処理を行うものであれば良く、これら以外の処理を行うものであっても良い。
【００３２】
硬貨処理部１２は、漏斗状のホッパ１５と、ホッパ１５の下部開口を閉塞するように設けられる回転円盤１６と、回転円盤１６から一枚ずつ分離して繰り出された硬貨に対して、正損真偽および金種等を識別し計数する識別計数部１７等を有しており、上記のような処理を行う。
【００３３】
硬貨投入口１１は、図２，図３に示すベース部材２１を有している。ベース部材２１は、矩形枠状の周囲壁部２２と、図３に示すように、周囲壁部２２の長さ方向の一側部分の内側に形成された導入開口部２３と、周囲壁部２２の長さ方向の逆側部分の下部に形成された底部構成部２４と、これら導入開口部２３と底部構成部２４との間に設けられた異物収容部２５とを有している。導入開口部２３の下方に、上記したホッパ１５および回転円盤１６が、導入開口部２３を介して落下する硬貨を受け入れるように設けられている。
【００３４】
硬貨投入口１１は、ベース部材２１の周囲壁部２２の導入開口部２３側に、回動可能に連結されたカバー３１を有している。カバー３１は、矩形板状の本体板部３２と、本体板部３２の一端縁部から本体板部３２に対して略垂直に延出する延出板部３３とを有している。カバー３１は、本体板部３２が、ベース部材２１の周囲壁部２２上に載置されると、水平に広がって導入開口部２３を塞ぐことになり、このとき、延出板部３３は、本体板部３２の底部構成部２４側の端縁部から下方に延出する状態となる。この状態で、延出板部３３は、ベース部材２１の長さ方向に対して直交して広がる。カバー３１は、この状態が導入開口部２３を閉塞する閉状態となっている。
【００３５】
そして、カバー３１は、本体板部３２の延出板部３３と直交する方向に延びる一方の端縁部が、ベース部材２１の周囲壁部２２の長さ方向に延在する部分の上部にヒンジ結合されており、この端縁部側を中心に上方に回動して導入開口部２３を開く。つまり、カバー３１は、導入開口部２３を開閉する。図示は略すが、カバー３１とベース部材２１との間に、カバー３１を閉状態でベース部材２１にロックするロック機構を設けてもよい。ロック機構は、カバー３１を開状態から閉状態とすると自動的にロック状態となり、例えばボタン操作がなされるとロックが解除される。
【００３６】
底部構成部２４は、ベース部材２１の周囲壁部２２の内側に、周囲壁部２２の上端部よりも低い高さで広がっている。底部構成部２４は、長方形状をなして水平に広がるベース底部４１と、ベース底部４１の導入開口部２３側の端縁部から導入開口部２３側に導入開口部２３側ほど高さが高くなるように傾斜して延出する長方形状の傾斜部４２と、を有している。底部構成部２４は、ベース底部４１が上を向いて水平に広がる底面４１ａを有しており、傾斜部４２が上を向いて傾斜する底面４２ａを有している。底部構成部２４は、これら底面４１ａ，４２ａよりも上方に突出する複数列（図示例は６列）のストライプ状のリブ４３を有している。
【００３７】
複数のリブ４３は、いずれもベース部材２１の長さ方向に沿って延在しており、その延在方向に直交する方向に並んでいる。つまり、底部構成部２４には、リブ４３が複数列平行に配置されている。複数のリブ４３は、等間隔で配置されており、いずれもベース部材２１の長さ方向における底部構成部２４の全長にわたって連続的に形成されている。複数のリブ４３は、隣り合うもの同士の間隔が例えば最小径硬貨（日本国内では１円硬貨）の外径よりやや短い間隔となっている。
【００３８】
異物収容部２５は、周囲壁部２２の内側に、全体が周囲壁部２２の上端部よりも低い高さで広がっており、水平に広がる収容底部５１と、収容底部５１の周縁部から上方に突出する矩形枠状の収容壁部５２とを有している。収容壁部５２の上端面は水平に広がっており、その高さは、傾斜部４２の底面４２ａのベース底部４１とは反対側の端縁部よりも若干低くなっている。
【００３９】
硬貨投入口１１は、ベース部材２１に対して取り外しおよび装着可能な底板部材６１を有している。底板部材６１は異物収容部２５を開閉する。底板部材６１は、矩形板状の主板部６３と、主板部６３の一端縁部から主板部６３に対して鈍角をなして延出する傾斜板部６４とを有しており、主板部６３において異物収容部２５の収容壁部５２の上端面に載置されてベース部材２１に取り付けられる。
【００４０】
底板部材６１は、ベース部材２１に取り付けられた状態で、その主板部６３が異物収容部２５を覆うことになり、傾斜板部６４は、主板部６３の底部構成部２４とは反対側の端縁部から底部構成部２４から離れる方向に、底部構成部２４から離れるほど下側に位置するように下り勾配で斜めに延出する。
【００４１】
底板部材６１と、底部構成部２４と、これらの周囲の周囲壁部２２とが、硬貨投入口１１において外部から硬貨が投入される受皿部７１となっており、底板部材６１と底部構成部２４とが受皿部７１の底部７２となっている。
【００４２】
底板部材６１の傾斜板部６４は、閉状態にあるカバー３１の延出板部３３とベース部材２１の長さ方向における位置を重ね合わせており、延出板部３３との間に硬貨を通過させる通過口７５を形成する。通過口７５はベース部材２１の長さ方向に対して直交する水平方向に直線状に延びている。通過口７５の高さは、処理対象の硬貨の形状等に応じて任意に選択可能であるが、一例を挙げると最小厚硬貨（日本国内では１円硬貨）の硬貨の３枚分の厚み以上で、４枚分の厚み未満となっており、例えば５ｍｍに設定されている。つまり、通過口７５は、受皿部７１の底部７２上で所定枚数を超えて重なる硬貨のこの所定枚数までの通過を許容しこの所定枚数を超える分の通過を規制する。延出板部３３は、この通過口７５を受皿部７１の底部７２との間に形成する通過制限部となっている。
【００４３】
ここで、硬貨処理装置１０は、例えば、受皿部７１に投入された硬貨が手動によって通過口７５に送り込まれる。ベース部材２１の導入開口部２３は、受皿部７１から通過口７５に送り込まれた硬貨を通過させる。ベース部材２１の導入開口部２３およびその下方のホッパ１５が、受皿部７１から通過口７５に送り込まれた硬貨を内部に導入する導入部７６を構成している。カバー３１は、導入部７６を開閉するものであり、閉状態では、通過口７５を介さずに導入部７６に直接バラ硬貨が投入されることを規制する。
【００４４】
ベース部材２１に取り付けられて受皿部７１の底部７２を構成する状態の底板部材６１は、主板部６３が上を向いて水平に広がる底面６３ａを有しており、傾斜板部６４が上を向いて導入部７６に向けて下り勾配で傾斜する底面６４ａを有している。また、底板部材６１は、これら底面６３ａおよび底面６４ａよりも上方に突出する複数列のストライプ状のリブ８１を有している。底部７２の底面４１ａ，４２ａ，６３ａ，６４ａは、ベース部材２１の長さ方向に段差なく滑らかに連続している。
【００４５】
複数のリブ８１は、いずれもベース部材２１の長さ方向に沿って延在しており、その延在方向に直交する水平方向に並んでいる。つまり、底板部材６１には、リブ８１が複数列平行に配置されている。複数のリブ８１は、等間隔で配置されており、底部構成部２４の複数のリブ４３と位置を合わせて同数設けられている。すなわち、底板部材６１の複数のリブ８１は、それぞれが、底部構成部２４の複数のリブ４３の対応する一つと連続して配置されている。受皿部７１の底部７２を構成する底部構成部２４に設けられた複数列のリブ４３は通過口７５に向けて延在しており、受皿部７１の底部７２を構成する底板部材６１に設けられた複数列のリブ８１も通過口７５に向けて延在している。
【００４６】
底板部材６１の主板部６３には、隣り合うリブ８１間に円形の異物排除孔８２が主板部６３を厚さ方向（上下方向）に貫通して形成されている。異物排除孔８２は、処理対象の最小径硬貨（日本国内では１円硬貨）の直径よりも小径の内径であり、複数（図示例では４つ）の異物排除孔８２が、主板部６３の隣り合うリブ８１とリブ８１との間にリブ８１の延在方向に直列状に並んで等間隔で設けられている。このような直列状の複数の異物排除孔８２の列が、隣り合うリブ８１とリブ８１との各間位置に設けられ、結果、主板部６３に複数列（図示例では７列）設けられている。異物排除孔８２の各列は、それぞれの異物排除孔８２の配置ピッチが同等であり、互いにリブ８１の延在方向における位置を揃えている。
【００４７】
底板部材６１の主板部６３には、リブ８１とは反対の下面に複数の図４に示す磁石８３が固定されている。磁石８３は永久磁石であり、全ての異物排除孔８２の通過口７５側（図４の左側）に隣接して設けられている。このように底板部材６１の下側に設けられた磁石８３は異物排除孔８２に進入したクリップやホチキスの針等の金属製の異物Ｂを吸引し、場合により吸着する。磁石８３は底板部材６１と一体に設けられており、底板部材６１と共にベース部材２１から取り外される。磁石８３を、全ての異物排除孔８２の通過口７５側に隣接して設けるのではなく、通過口７５側の一部の異物排除孔８２の通過口７５側に隣接して設けても良い。少なくとも最も通過口７５側の異物排除孔８２の通過口７５側に隣接して設ければ良い。
【００４８】
底板部材６１の複数列のリブ８１は、図５に示すように、切欠部８６が形成されることで延在方向に断続する形状となっている。切欠部８６は、いずれも主板部６３の範囲に形成されており、傾斜板部６４の範囲には形成されていない。切欠部８６は、リブ８１の延在方向における位置を異物排除孔８２と異ならせており、リブ８１の延在方向に隣り合う異物排除孔８２と異物排除孔８２との間に配置されている。隣り合うリブ８１同士も、互いに切欠部８６のリブ８１の延在方向における位置を異ならせている。これにより、切欠部８６は千鳥状つまり互い違いに配置されている。いずれの切欠部８６も、リブ８１の延在方向において、いずれかの異物排除孔８２に対し通過口７５とは反対側（図５の右側）にずれて配置されている。リブ８１の延在方向における切欠部８６の長さは、処理対象の硬貨の形状等に応じて任意に選択可能であるが、一例を挙げると最小径硬貨（日本国内では１円硬貨）の直径よりも短く、例えば１０ｍｍとされる。
【００４９】
主板部６３の範囲のリブ８１は、図６に示すように、上端面８１ａが、主板部６３の底面６３ａと平行である。また、リブ８１は、各切欠部８６の両側の境界部８１Ｂ，８１Ｃのうち、切欠部８６に対し通過口７５とは反対側（図６の右側）となる境界部８１Ｂが、通過口７５側（図６の左側）ほど低くなるように傾斜面８１ｂが形成された下り勾配となっている。また、リブ８１は、各切欠部８６の両側の境界部８１Ｂ，８１Ｃのうち、切欠部８６に対し通過口７５側となる境界部８１Ｃが、主板部６３の底面６３ａに略垂直に立ち上がっている。リブ８１は、境界部８１Ｂ，８１Ｃが、図７に示すように、いずれも平面視で丸みをおびた半円形状となっている。ここで、切欠部８６を、このように底板部材６１の主板部６３の範囲のリブ８１のみに設けるのではなく、底板部材６１のリブ８１に加えて、底部構成部２４のリブ４３に形成することも可能であり、底部構成部２４のリブ４３のみに形成することも可能である。
【００５０】
図２に示すように、底板部材６１の主板部６３は、受皿部７１の底部７２のうち、通過口７５に近接して上側に位置する近接ステージ（上部ステージ）であり、ベース部材２１のベース底部４１は、受皿部７１の底部７２のうち、主板部６３よりも通過口７５から遠く高さが低い遠隔ステージ（下部ステージ）となっている。また、ベース部材２１の傾斜部４２は、主板部６３とベース底部４１とを繋いでおり、主板部６３側ほど高さが高く傾斜する上り勾配部となっている。底板部材６１の傾斜板部６４は、主板部６３のベース底部４１とは反対側に設けられ、主板部６３から離れるほど高さが低くなる下り勾配部となっている。受皿部７１の底部７２を構成する、近接ステージである主板部６３、遠隔ステージであるベース底部４１、上り勾配部である傾斜部４２および下り勾配部である傾斜板部６４のうち、近接ステージである主板部６３のみに異物排除孔８２および切欠部８６が形成されている。
【００５１】
カバー３１は、導入開口部２３を塞ぐ閉状態で、ホッパ１５に通過口７５を介さず直接バラ硬貨が投入されることを規制することになり、これにより、バラ硬貨は、基本的に、受皿部７１に投入されることになる。その際に、受皿部７１の最も窪むベース底部４１上にバラ硬貨が一括投入される。このように、受皿部７１上に投入された硬貨は、手動によって底部７２上を移動して、底部７２とカバー３１とで形成された通過口７５に送り込まれることになる。つまり、ベース底部４１上のバラ硬貨は、操作者の手の平で押されることにより、通過口７５に向かって滑らされ、傾斜部４２を上り、主板部６３上を移動して通過口７５に送り込まれることになる。その際に、主板部６３に上り切れなかった硬貨は、傾斜部４２を重力により下ってベース底部４１に戻る。これにより、主板部６３上の硬貨がばらけることになる。
【００５２】
そして、通過口７５によって、これを通過する硬貨の重なり枚数を制限することで、少量ずつ硬貨が通過口７５を通過してホッパ１５に送り込まれることになる。これにより、受皿部７１の硬貨の山が崩され硬貨が徐々にばらけることになる。このように硬貨をばらけさせることで、硬貨に混ざった異物が底部７２上に落下することになり、通過口７５に送り込まれる前に、直接あるいは移動する硬貨で押されて主板部６３の異物排除孔８２から落下する。通過口７５に送り込まれた硬貨は、傾斜板部６４を重力で助勢されて下ってホッパ１５を含む導入部７６に導入される。
【００５３】
このとき、硬貨がリブ８１に載ると硬貨と異物排除孔８２との間に上下方向に隙間ができ、異物が異物排除孔８２からより落下し易くなる。また、図５に示すように、隣り合うリブ８１とリブ８１との間隔より長い異物Ｂが、隣り合うリブ８１とリブ８１とに跨がって載って硬貨とともに滑って移動しても、切欠部８６でリブ８１から落下して引っ掛かり、そのまま硬貨とともに滑って移動することを防止する。また、切欠部８６に落下した異物Ｂは、硬貨とともに通過口７５側に押されると、切欠部８６の斜め前方にある異物排除孔８２から落下し易くなる。異物排除孔８２に一部進入した金属製の異物Ｂは、図４に示すように磁石８３で吸引されて異物排除孔８２に引き込まれて異物排除孔８２に落下し、場合により磁石８３に吸着される。
【００５４】
ここで、カバー３１は、通常の硬貨処理時は閉状態で使用され、保守作業等の際には識別計数部１７等にアクセス可能にするために開状態とされる。硬貨が重なるほど、重なる硬貨間に異物が挟まった状態で投入されるリスクが高くなるため、少量ずつ投入させるための目視的な抑止効果として通過口７５の高さを５ｍｍ（１円硬貨３枚または５百円硬貨２枚）とする。なお、計数するために持参した硬貨収納袋や硬貨収納箱に異物の混入が無いと判断できる場合は、カバー３１を開放してホッパ１５を含む導入部７６に硬貨が直接投入されることを許容する。また、カバー３１を閉状態にすることで、塵埃等が導入部７６から装置内部に入ることを防止できる。
【００５５】
以上に述べた第１実施形態によれば、例えば、受皿部７１に投入された硬貨が手動によって底部７２上を移動して、底部７２とカバー３１とで形成された通過口７５に送り込まれることになる。その際に、通過口７５によって、これを通過する硬貨の重なり枚数を制限することで、少しずつ通過口７５に硬貨が送り込まれることになる。これにより、駆動源を要する機械的機構等を設けることなく、受皿部７１の硬貨が徐々にばらけることになる。このように硬貨をばらけさせることで、硬貨に混ざった異物が底部７２上に落下することになり、直接あるいは移動する硬貨で押されて異物排除孔８２から落下する。したがって、異物を簡易に効率良く除去することが可能となる。このため、例えば長さが最小径硬貨の直径よりも長いクリップ等の異物であっても、これを簡易に効率良く除去することが可能となる。
【００５６】
また、受皿部７１の底部７２とで通過口７５を形成する通過制限部が、導入開口部２３を含む導入部７６を開閉するカバー３１に一体に設けられた延出板部３３であるため、部品点数を低減することができ、低コスト化が図れる。
【００５７】
また、底部７２の遠隔ステージであるベース底部４１に投入された硬貨は、通過口７５の通過のために、ベース底部４１から上り勾配部である傾斜部４２上を移動させられて、近接ステージである主板部６３に至って、通過口７５に送り込まれることになる。その際に、主板部６３に上り切れなかった硬貨は傾斜部４２を重力により下ってベース底部４１に戻る。これにより、受皿部７１の硬貨がより一層ばらけることになり、硬貨に混ざった異物が底部７２上により良好に落下することになって、異物排除孔８２からより良好に落下する。
【００５８】
また、近接ステージである主板部６３に移動させられた硬貨は、通過口７５に向け移動させられると、下り勾配部である傾斜板部６４を重力で助勢されて下ることになる。よって、通過口７５への硬貨の送り込みの作業が容易となる。
【００５９】
また、受皿部７１の底部７２に通過口７５に向けて延在するようにリブ８１が複数列設けられているため、硬貨がリブ８１に載ると硬貨と異物排除孔８２との間に隙間をつくる。よって、異物が異物排除孔８２からより良好に落下する。
【００６０】
また、リブ８１に切欠部８６が形成されているため、隣り合うリブ８１とリブ８１との間隔より長い異物が隣り合うリブ８１とリブ８１とに跨がって載ってそのまま硬貨とともに滑って移動することを防止することができる。
【００６１】
また、切欠部８６が、リブ８１の延在方向において、異物排除孔８２に対し通過口７５とは反対側にずれて配置されているため、硬貨で押されてリブ８１の切欠部８６に入り混んだ異物が異物排除孔８２により良好に落下する。
【００６２】
また、異物排除孔８２に進入した金属製の異物を吸引し、場合により吸着する磁石８３が底部７２の下側に設けられているため、金属製の異物を異物排除孔８２に引き込むことができる。このように、受皿部７１の表面部分ではなく、異物排除孔８２の中に金属製の異物を誘導することで、次に流れる硬貨等で金属製の異物が通過口７５に押し込まれることを抑制することができる。
【００６３】
また、底部７２を構成する底板部材６１をベース部材２１から取り外すと、磁石８３およびこれに吸着された金属製の異物が底板部材６１と一緒にベース部材２１から取り出されることになる。よって、金属製の異物の排除作業が容易となる。底板部材６１をベース部材２１から取り外すことができるため、異物収容部２５を引き出し可能な構造にする必要がない。
【００６４】
第１実施形態を以下のように変更することも可能である。
【００６５】
底板部材６１の主板部６３を通過口７５側ほど低くなるように下り勾配で傾斜させる。このように構成すれば、主板部６３の硬貨が通過口７５側に移動しやすくなる。
【００６６】
底板部材６１の主板部６３を通過口７５側ほど高くなるように上り勾配で傾斜させる。このように構成すれば、主板部６３の硬貨が通過口７５側に移動しにくくなり、よりばらけ易くなって、異物除去効果が高まる。
【００６７】
図８に示すように、異物収容部２５を別体のトレイ状として、ベース部材２１の周囲壁部２２の開口部９１から引き出し可能とする。この場合、底板部材６１をベース部材２１に対し着脱自在とする必要はなくベース部材２１と一体にできる。また、この場合、磁石８３を異物収容部２５に設けるのが良い。
【００６８】
硬貨投入口１１を別体で形成して、既存の硬貨処理装置に上記状態となるように後付けで取り付けることが可能であり、その場合、硬貨処理装置との間に互いに着脱自在に係合する係合機構を設けて硬貨処理装置に対して着脱自在なアタッチメントタイプとしても良い。アタッチメントタイプとした場合、複数の硬貨処理装置に付け替えて使用したり、異物が多い特定の顧客の硬貨を計数するときだけ硬貨処理装置に取り付けて使用したりすることができる。硬貨投入口１１を後付けで取り付けると、硬貨投入口１１が硬貨処理装置から突出することがあるが、通常時に、取り外した運用とすれば邪魔になることは少ない。
【００６９】
［第２実施形態］
本発明の第２実施形態に係る硬貨処理装置を主に図９および図１０を参照して第１実施形態との相違部分を中心に以下に説明する。
【００７０】
第２実施形態においては、図９，図１０に示すように第１実施形態よりも硬貨投入口１１のベース部材２１の長さが短くなっており、ベース部材２１には、長さ方向一側に導入開口部２３が、長さ方向逆側に異物収容部２５が設けられ、第１実施形態の底部構成部２４は設けられていない。また、第２実施形態では、底板部材６１のみで受皿部７１の底部７２を形成する。第２実施形態の底板部材６１は、主板部６３の長さが第１実施形態よりも長く、その分、異物排除孔８２および切欠部８６の数が第１実施形態よりも多くなっている。第２実施形態では、受皿部７１の底部７２は、水平に広がる主板部６３と、主板部６３から導入部７６側に下り勾配で延出する傾斜板部６４とのみで構成されている。このような第２実施形態は、硬貨投入口１１を小型にすることができる。
【００７１】
第２実施形態において、第１実施形態と同様、底板部材６１の主板部６３を通過口７５側ほど低くなるように下り勾配で傾斜させたり、底板部材６１の主板部６３を通過口７５側ほど高くなるように上り勾配で傾斜させたりしても良い。また、異物収容部２５を別体のトレイ状としてベース部材２１の周囲壁部２２の開口部から引き出し可能とし、底板部材６１をベース部材２１に一体としても良い。硬貨投入口１１を別体で形成して、既存の硬貨処理装置に上記状態となるように後付けで取り付けたり、硬貨処理装置との間に互いに着脱自在に係合する係合機構を設けて硬貨処理装置に対して着脱自在なアタッチメントタイプとしても良い。
【符号の説明】
【００７２】
１０  硬貨処理装置
１１  硬貨投入口
２３  導入開口部
３３  延出板部（通過制限部）
４１  ベース底部（遠隔ステージ）
４２  傾斜部（上り勾配部）
４３，８１  リブ
６３  主板部（近接ステージ）
６４  傾斜板部（下り勾配部）
７１  受皿部（硬貨受皿）
７２  底部
７５  通過口
７６  導入部
８２  異物排除孔
８３  磁石
８６  切欠部
【図１】
0006678055.tif 000002
【図２】
0006678055.tif 000003
【図３】
0006678055.tif 000004
【図４】
0006678055.tif 000005
【図５】
0006678055.tif 000006
【図６】
0006678055.tif 000007
【図７】
0006678055.tif 000008
【図８】
0006678055.tif 000009
【図９】
0006678055.tif 000010
【図１０】
0006678055.tif 000011